(57)【特許請求の範囲】
【請求項１】
対象物を発射する発射台を作製するための平板状の発射台用部品と、
発射台用部品と同一の平板内に配置されており、発射台から発射される対象物の目標を作製するための平板状の目標用部品と、を備え、
目標用部品の外周縁と発射台用部品の外周縁とは、分離可能に連結されており、
発射台用部品は、少なくとも、対象物を載置するための載置板と、載置板を支持するための第１支持板と、を含み、
発射台用部品の外周縁と目標用部品の外周縁とが分離され、発射台が作製された状態では、第１支持板は、載置板から下方に伸びる状態で、載置板に連結され、
目標用部品は、少なくとも、目標板と、目標板を支持する第２支持板と、を含み、
発射台用部品の外周縁と目標用部品の外周縁とが分離され、目標が作製された状態で、第２支持板は、目標板の下方に連結され、
発射台用部品は、発射台用部品の外周縁と目標用部品の外周縁とが分離され、発射台が作製された状態で、第１支持板に可撓な状態で支持される跳弾板を、さらに備え、
発射台用部品の外周縁と目標用部品の外周縁とが分離され、発射台が作製された状態では、
載置板は、載置板の両端から下方に伸びる第１支持板によって支持され、
跳弾板は、載置板に隣接して配置され、撓んだ状態からの復元力によって、載置板に載置される対象物を弾き飛ばす、遊戯用シート。
【請求項２】
発射台用部品は、さらに、１枚以上の跳弾補助板を備え、
発射台用部品の外周縁と目標用部品の外周縁とが分離され、発射台が作製された状態では、１枚以上の跳弾補助板は、跳弾板と重ね合されて第１支持板に支持される、請求項１に記載の遊戯用シート。
【請求項３】
対象物を発射する発射台を作製するための平板状の発射台用部品と、
発射台用部品と同一の平板内に配置されており、発射台から発射される対象物の目標を作製するための平板状の目標用部品と、を備え、
目標用部品の外周縁と発射台用部品の外周縁とは、分離可能に連結されており、
発射台用部品は、少なくとも、対象物を載置するための載置板と、載置板を支持するための第１支持板と、を含み、
発射台用部品の外周縁と目標用部品の外周縁とが分離され、発射台が作製された状態では、第１支持板は、載置板から下方に伸びる状態で、載置板に連結され、
目標用部品は、少なくとも、目標板と、目標板を支持する第２支持板と、を含み、
発射台用部品の外周縁と目標用部品の外周縁とが分離され、目標が作製された状態で、第２支持板は、目標板の下方に連結され、
発射台用部品の外周縁と目標用部品の外周縁とが分離され、発射台が作製された状態では、載置板は、第１支持板によって、載置板の一方の端が固定され、載置板の他方の端部が可撓な状態で支持されている、遊戯用シート。
【請求項４】
遊戯用シートは、発射台用部品の外周縁と目標用部品の外周縁との間であって、発射台用部品と同一の平板内に配置される平板状の連結板を、さらに備え、
連結板は、発射台用部品の外周縁と目標用部品の外周縁との両者に分離可能に連結されている、請求項１から３のいずれか一項に記載の遊戯用シート。
【請求項５】
載置板と第１支持板とは、一体的に連結されており、
発射台用部品の外周縁と目標用部品の外周縁とが分離され、発射台が作製された状態では、載置板と第１支持板との境界部分は屈曲しており、
載置板と第１支持板との境界部分には、屈曲すべき線に沿って、複数個の孔が配置されている、請求項１から４のいずれか一項に記載の遊戯用シート。
【請求項６】
載置板と第１支持板とのどちらか一方は、係合突起部を有し、
載置板と第１支持板とのどちらか他方は、係合突起部を受け入れる係合穴を有する、請求項１から５のいずれか一項に記載の遊戯用シート。
【請求項７】
目標板と第２支持板とのどちらか一方は、係合突起部を有し、
目標板と第２支持板とのどちらか他方は、係合突起部を受け入れる係合穴を有する、請求項１から６のいずれか一項に記載の遊戯用シート。
【請求項８】
遊戯用シートは、ポリプロピレンによって作製されている、請求項１から７のいずれか一項に記載の遊戯用シート。
【請求項９】
目標用部品の外周縁と発射台用部品の外周縁とが連結されている状態で、発射台用部品と目標用部品とは、Ａ４サイズの範囲内に含まれている、請求項１から８のいずれか一項に遊戯用シート。
【請求項１０】
対象物は、飲料用ボトルの蓋である、請求項１から９にいずれか一項に記載の遊戯用シート。
【発明の詳細な説明】
【技術分野】
【０００１】
本明細書は、遊具を作製するための遊戯用シートに関する。
【背景技術】
【０００２】
実用新案登録第３１８２０５１号公報に、組立式の飛行機が開示されている。組立式の飛行機は、フィルムシートを打ち抜いて作製された複数の部品を組み合わせることによって作製される。
【発明の概要】
【０００３】
飛行機等の遊戯の部品を含む遊戯用シートは、平板形状を有しているため、重ね合せた状態で嵩張らず、運搬性、収納性に優れている。このため、遊戯用シートに対するニーズは高い。
【０００４】
本明細書では、新たな遊戯に利用可能な遊戯用シートを提供する。
【０００５】
本明細書が開示する遊戯用シートは、発射台用部品と、目標用部品と、を備える。発射台用部品は、対象物を発射する発射台を作製するための平板状の部品である。目標用部品は、発射台用部品と同一の平板内に配置されており、発射台から発射される対象物の目標を作製するための平板状の部品である。
【０００６】
この構成によると、遊戯用シートから、対象物を発射する発射台と、発射台から発射される対象物の目標と、を作製することができる。これにより、遊戯用シートを利用して、例えば、バスケットボールのフリースロー、サッカーのペナルティキック等を模した、対象物を目標に向けて発射させる遊戯を行うことができる。
【図面の簡単な説明】
【０００７】
【図１】第１実施例の遊戯用シートの平面図を示す。
【図２】第１実施例の発射台の組立途中の分解斜視図を示す。
【図３】第１実施例の発射台の斜視図を示す。
【図４】第１実施例のサッカーゴールの組立途中の分解斜視図を示す。
【図５】図４に続く第１実施例のサッカーゴールの組立途中の分解斜視図を示す。
【図６】第１実施例のサッカーゴールの斜視図を示す。
【図７】第１実施例のサッカーゲームの遊戯方法を説明するための図を示す。
【図８】第２実施例の遊戯用シートの平面図を示す。
【図９】第２実施例の発射台の組立途中の分解斜視図を示す。
【図１０】第２実施例のバスケットゴールの組立途中の分解斜視図を示す。
【図１１】第２実施例のバスケットボールゲームの遊戯方法を説明するための図を示す。
【図１２】第３実施例の遊戯用シートの平面図を示す。
【図１３】第３実施例の的当てゲームの遊戯方法を説明するための図を示す。
【図１４】第４実施例の遊戯用シートの平面図を示す。
【図１５】第４実施例の遊戯用シートの平面図を示す。
【図１６】野球場の組立途中の分解斜視図を示す。
【図１７】図１６に続く野球場の組立途中の分解斜視図を示す。
【図１８】第４実施例の野球ゲームの遊戯方法を説明するための図を示す。
【発明を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【０００９】
（特徴１）遊戯用シートでは、目標用部品の外周縁と発射台用部品の外周縁とは、分離可能に連結されていてもよい。発射台用部品は、少なくとも、対象物を載置するための載置板と、載置板を支持するための第１支持板と、を含んでいてもよい。発射台用部品の外周縁と目標用部品の外周縁とが分離され、発射台が作製された状態では、第１支持板は、載置板から下方に伸びる状態で、載置板に連結されていてもよい。目標用部品は、少なくとも、目標板と、目標板を支持する第２支持板と、を含んでいてもよい。発射台用部品の外周縁と目標用部品の外周縁とが分離され、目標が作製された状態で、第２支持板は、目標板の下方に連結されてもよい。この構成によると、平板状の発射台用部品から、立体的な発射台を作製することができる。同様に、平板状の目標用部品から、立体的な目標を作製することができる。
【００１０】
（特徴２）遊戯用シートは、発射台用部品の外周縁と目標用部品の外周縁との間であって、発射台用部品と同一の平板内に配置される平板状の連結板を、さらに備えていてもよい。連結板は、発射台用部品の外周縁と目標用部品の外周縁との両者に分離可能に連結されていてもよい。この構成によると、発射台用部品と目標用部品とを、平板状に適切に連結することができる。
【００１１】
（特徴３）遊戯用シートでは、載置板と第１支持板とは、一体的に連結されていてもよい。発射台用部品の外周縁と目標用部品の外周縁とが分離され、発射台が作製された状態では、載置板と第１支持板との境界部分は屈曲していてもよい。載置板と第１支持板との境界部分には、屈曲すべき線に沿って、複数個の孔が配置されていてもよい。この構成によると、屈曲すべき線に沿って、適切に折り曲げることができる。
【００１２】
（特徴４）載置板と第１支持板とのどちらか一方は、係合突起部を有していてもよい。載置板と第１支持板とのどちらか他方は、係合突起部を受け入れる係合穴を有していてもよい。この構成によると、載置板と第１支持板と異なる部材を用いずに、第１支持板に載置板を取り付けることができる。
【００１３】
（特徴５）目標板と第２支持板とのどちらか一方は、係合突起部を有していてもよい。目標板と第２支持板とのどちらか他方は、係合突起部を受け入れる係合穴を有していてもよい。この構成によると、目標板と第２支持板と異なる部材を用いずに、第２支持板に目標板を取り付けることができる。
【００１４】
（特徴６）遊戯用シートでは、発射台用部品は、発射台用部品の外周縁と目標用部品の外周縁とが分離され、発射台が作製された状態で、第１支持板に可撓な状態で支持される跳弾板を備えていてもよい。発射台用部品の外周縁と目標用部品の外周縁とが分離され、発射台が作製された状態では、載置板は、載置板の両端から下方に伸びる第１支持板によって支持され、跳弾板は、載置板に隣接して配置され、撓んだ状態からの復元力によって、載置板に載置される対象物を弾き飛してもよい。この構成によると、跳弾板の弾性を利用して、対象物を発射台から発射させることができる。
【００１５】
（特徴７）遊戯用シートでは、発射台用部品は、１枚以上の跳弾補助板を備えていてもよい。発射台用部品の外周縁と目標用部品の外周縁とが分離され、発射台が作製された状態では、１枚以上の跳弾補助板は、跳弾板と重ね合されて第１支持板に支持されてもよい。この構成によると、跳弾補助板によって、対象物の推進力を向上させることができる。
【００１６】
（特徴８）発射台用部品の外周縁と目標用部品の外周縁とが分離され、発射台が作製された状態では、載置板は、第１支持板によって、載置板の一方の端が固定され、載置板の他方の端部が可撓な状態で支持されてもよい。この構成によると、載置板の弾性を利用して、対象物を発射台から発射させることができる。
【００１７】
（特徴９）遊戯用シートは、ポリプロピレンによって作製されていてもよい。この構成によると、例えば、遊戯用シートを紙等で作製する場合と比較して、丈夫な遊具を作製することができる。
【００１８】
（特徴１０）目標用部品の外周縁と発射台用部品の外周縁とが連結されている状態で、発射台用部品と目標用部品とは、Ａ４サイズの範囲内に含まれていてもよい。この構成によると、遊戯用シートをＡ４サイズにすることができる。
【００１９】
（特徴１１）対象物は、飲料用ボトルの蓋であってもよい。この構成によると、飲料用の蓋を利用して、遊戯することができる。
【００２０】
（第１実施例）
図１には、本実施例の遊戯用シート１０が示されている。遊戯用シート１０は、ポリプロピレンで作製されている半透明のシートである。遊戯用シート１０は、１ｍｍ以下の均一の厚みの平板形状を有する。遊戯用シート１０の外形は、Ａ４サイズである。
【００２１】
遊戯用シート１０は、連結板１２と、発射台用部品１４と、跳弾補助板１６，１８と、ゴール用部品２２，２４と、ゴールキーパー用部品３２と、を備える。各部１２，１４，１６，１８，２２，２４，３２は、Ａ４サイズの１枚のシートを切り抜くことによって作製されている。各部１２，１４，１６，１８，２２，２４，３２は、同一平板上に配置されている。
【００２２】
連結板１２の外形は、Ａ４サイズである。連結板１２は、発射台用部品１４と、跳弾補助板１６，１８と、ゴール用部品２２，２４と、ゴールキーパー用部品３２と、を連結している。
【００２３】
発射台用部品１４の外周縁は、全周に亘って連結板１２と接触している。詳細には、発射台用部品１４の外周縁と連結板１２との間には、発射台用部品１４の外周縁に沿って、遊戯用シート１０を貫通する切込みが形成されている。発射台用部品１４の外周縁に沿った切込みは、発射台用部品１４の外周縁の全周を亘って、断続的に形成されている。切込みが途切れている箇所では、連結板１２と発射台用部品１４とは、切断されておらず繋がっている。但し、連結板１２と発射台用部品１４とが繋がっている部分は、人間の手で容易に切り離し可能な程度に小さい。この構成によると、道具を用いずに、発射台用部品１４を、連結板１２から容易に切り離すことができる。
【００２４】
発射台用部品１４は、載置板１４ｄと、２個の支持板１４ｅと、跳弾板１４ｂと、底板１４ｆと、を備える。載置板１４ｄは、２個の支持板１４ｅの間に配置され、２個の支持板１４ｅのそれぞれに直接的に連結されている。載置板１４ｄと支持板１４ｅとの境界には、載置板１４ｄと支持板１４ｅとの境界に沿った折り筋１４ｊが形成されている。折り筋１４ｊは、載置板１４ｄと支持板１４ｅとの境界線に沿って、発射台用部品１４を一方の面から押圧することによって、当該境界線に沿った線状の凹部（他方の面から見ると突条）に形成されている。なお、以下で説明する板同士等の境界には、図面において破線で示すように、必要に応じて、折り筋１４ｊと同様の折り筋が形成されている。なお、変形例では、載置板１４ｄと支持板１４ｅとの境界に、発射台用部品１４を貫通する複数個のスリットが等間隔に配置されていてもよい。なお、以下では、「スリット」は、遊戯用シート１０を貫通する線状の貫通部であって、スリットの幅は、遊戯用シート１０の厚さよりも小さく、例えば０ｍｍである。
【００２５】
２個の支持板１４ｅは、載置板１４ｄを挟んで、載置板１４ｄの両端に配置されている。各支持板１４ｅには、被係合部１４ｇが形成されている。被係合部１４ｇは、支持板１４ｅに長方形状の外周に沿ったスリットによって形成されている。なお、長方形状の外周のうち、長辺の一辺（図１の破線で示す辺）には、折り筋が形成されている。
【００２６】
２個の支持板１４ｅのうち、一方の支持板１４ｅでは、載置板１４ｄと反対側の端に、挿入部１４ｈが直接的に連結されている。挿入部１４ｈは、支持板１４ｅの端から、支持板１４ｅから離間する方向に突出している。
【００２７】
２個の支持板１４ｅのうち、他方の支持板１４ｅでは、載置板１４ｄと反対側の端に、底板１４ｆが直接的に連結されている。底板１４ｆの支持板１４ｅと反対側の端近傍には、挿入部１４ｈを挿入するためのスリット１４ｉが形成されている。スリット１４ｉの幅は、挿入部１４ｈの厚さより小さい。以下では、「挿入部」と当該「挿入部」に挿入される「スリット」とでは、「スリット」の幅は、「挿入部」の厚さより小さい。
【００２８】
底板１４ｆでは、支持板１４ｅとスリット１４ｉとの間に位置する端に、跳弾板１４ｂが直接的に連結されている。跳弾板１４ｂは、底板１４ｆ側の端から、矩形状に伸びている。跳弾板１４ｂの底板１４ｆと反対側の端部は、半円形状を有する。底板１４ｆ側の端辺と半円形状の端部との中間位置において、跳弾板１４ｂには、２個の係合部１４ａが取り付けられている。
【００２９】
２個の係合部１４ａは、跳弾板１４ｂを挟んで、跳弾板１４ｂの中心軸に対して対称に配置されている。係合部１４ａの跳弾板１４ｂの延伸方向に沿った長さは、非係合部１４ｇの長辺方向の長さよりも長い。また、跳弾板１４ｂの半円形状の端部近傍には、半円弧状のスリットによって、２個の半円状の引掛部１４ｃが形成されている。
【００３０】
発射台用部品１４には、連結板１２を介して、２枚の跳弾補助板１６，１８が連結されている。跳弾補助板１６，１８の外周縁は、発射台用部品１４の外周縁と同様に、全周に亘って連結板１２と接触しており、外周縁に沿った断続的な切込みが設けられている。跳弾補助板１６には、係合部１４ａと同一形状の２個の係合部１６ａが配置されている。跳弾板１４ｂと跳弾補助板１６とが重ね合された場合、２個の係合部１４ａのそれぞれと、２個の係合部１６ａのそれぞれと、がぴったりと重なるように、２個の係合部１６ａが配置されている。跳弾補助板１８には、係合部１６ａと同様の２個の係合部１８ａが配置されている。発射台を組み立てる際には、２個の係合部１４ａのそれぞれと、２個の係合部１６ａのそれぞれと、２個の係合部１８ａのそれぞれと、がぴったりと重なるように、跳弾板１４ｂと跳弾補助板１６，１８とが配置される。
【００３１】
ゴール用部品２２，２４は、連結板１２を介して、発射台用部品１４と連結されている。ゴール用部品２２，２４のそれぞれの外周縁は、発射台用部品１４の外周縁と同様に、全周に亘って連結板１２と接触しており、外周縁に沿った断続的な切込みが設けられている。ゴール用部品２２は、サッカーゴールの上壁を構成する上壁板２２ａと、後壁を構成する後壁板２２ｂと、を備える。
【００３２】
上壁板２２ａの両側端のそれぞれには、挿入部２２ｃが配置されている。挿入部２２ｃは、上壁板２２ａの両側端のそれぞれから、上壁板２２ａから離間する方向に突出している。２個の挿入部２２ｃのそれぞれは、後述する２個の側壁板２４ｂのそれぞれに形成されているスリット２４ｃに挿入される。
【００３３】
上壁板２２ａには、後壁板２２ｂが直接的に連結されている。後壁板２２ｂの両側端のそれぞれには、挿入部２２ｄが配置されている。挿入部２２ｄは、後述する２個の側壁板２４ｂのそれぞれに形成されているスリット２４ｄに挿入される。挿入部２２ｄは、後壁板２２ｂの両側端のそれぞれから、後壁板２２ｂから離間する方向に突出している。また、後壁板２２ｂの上壁板２２ａと反対側の端（即ち下端）には、２個の挿入部２２ｅが配置されている。２個の挿入部２２ｅのそれぞれは、後述する底壁板２４ａに形成されている２個のスリット２４ｅのそれぞれに挿入される。２個の挿入部２２ｅは、後壁板２２ｂの下端から、互いに間隔を開けて、後壁板２２ｂと離間する方向に突出している。
【００３４】
ゴール用部品２４は、サッカーゴールの底壁を構成する底壁板２４ａと、２個の側壁を構成する２個の側壁板２４ｂと、を備える。底壁板２４ａには、後壁板２２ｂの挿入部２２ｅが挿入される２個のスリット２４ｅが形成されている。底壁板２４ａの両側端のそれぞれには、側壁板２４ｂが連結されている。側壁板２４ｂには、後壁板２２ｂの挿入部２２ｄが挿入されるスリット２４ｄが配置されている。さらに、側壁板２４ｂの底壁板２４ａと反対側の端（即ち上端）には、上壁板２２ａの挿入部２２ｃが挿入されるスリット２４ｃが配置されている。
【００３５】
ゴールキーパー用部品３２は、連結板１２を介して、発射台用部品１４、ゴール用部品２２，２４と連結されている。ゴールキーパー用部品３２の外周縁は、発射台用部品１４の外周縁と同様に、全周に亘って連結板１２と接触しており、外周縁に沿って、断続的な切込みが設けられている。ゴールキーパー用部品３２は、操作板３２ａとキーパー板３２ｂとを備える。
【００３６】
キーパー板３２ｂの一端には、操作板３２ａが直接的に連結されている。操作板３２ａは、中間部分で操作板３２ａの幅が狭くなっている。
【００３７】
（発射台の作製方法）
次に、図２を参照して、発射台５０（図３参照）の作製方法について説明する。最初に、作製者は、自らの手で、発射台部品１４と、発射補助板１６，１８と、を連結板１２から切り離す。次いで、発射台部品１４の跳弾板１４ｂと底板１４ｆとの境界線Ｂ１に沿って、発射台部品１４を折り曲げる（矢印Ａ１参照）。さらに、支持板１４ｅと底板１４ｆとの境界線Ｂ２に沿って、発射台部品１４を折り曲げる（矢印Ａ２参照）。そして、跳弾板１４ｂの係合部１４ａを、支持板１４ｅの被係合部１４ｇに挿入する。被係合部１４ｇでは、長辺の一辺が折り筋を介して、発射台用部品１４に連結されている。このため、係合部１４ａが被係合部１４ｇに挿入されると、スリットの内周の部分は、小さな力で係合部１４ａによって押圧されて、支持板１４ｅに対して折れ曲がる一方で、支持板１４ｅから落下しない。この構成よると、発射台５０の組立時に、小片が分離され、小さなゴミになることを防止することができる。
【００３８】
係合部１４ａの幅は、被係合部１４ｇの幅よりも大きいため、係合部１４ａが支持板１４ｅに係合した状態が維持される。この構成によると、のり、テープ等の結合材料を用いずに済む。次いで、跳弾補助板１８の係合部１８ａを被係合部１４ｇに挿入して、跳弾板１４ｂの下に、跳弾補助板１８を重ねる。さらに、跳弾補助板１６の係合部１６ａを被係合部１４ｇに挿入して、跳弾補助板１８の下に、跳弾補助板１６を重ねる。この結果、跳弾板１４ｂ、跳弾補助板１８、跳弾補助板１６の順に、３枚の板１４ｂ，１８，１６が重ね合される。
【００３９】
次いで、載置板１４ｄと２個の支持板１４ｅのそれぞれとの境界線Ｂ３，Ｂ４に沿って、発射台部品１４を折り曲げる（矢印Ａ３，Ａ４参照）。そして、係合部１４ａ，１６ａ，１８ａを、他方の支持板１４ｅの被係合部１４ｇに挿入する。さらに、支持板１４ｅの挿入部１４ｂを、底板１４ｆのスリット１４ｉに挿入する。スリット１４ｉの幅は、挿入部１４ｂの板厚よりも小さい。この構成によると、挿入部１４ｂが、スリット１４ｉから容易に離脱することを抑制することができる。この結果、載置板１４ｄと底板１４ｆとのそれぞれは、２個の支持板１４ｅに対して、垂直に配置される。これにより、平板状の発射台用部品１４から、図３に示す立体的な発射台５０を作製することができる。
【００４０】
（サッカーゴールの作製方法）
次に、図４，５を参照して、サッカーゴール６０（図６参照）の作製方法について説明する。最初に、作製者は、自らの手で、ゴール用部品２２，２４と、キーパー用部品３２と、を連結板１２から切り離す。次いで、ゴール用部品２４の底壁板２４ａと２個の側壁板２４ｂのそれぞれとの境界線Ｂ５、Ｂ６に沿って、ゴール用部品２４を折り曲げる（矢印Ａ５，Ａ６参照）。これにより、２個の側壁板２４ｂのそれぞれは、底壁２４ａに対して垂直に配置される。
【００４１】
次いで、ゴール用部品２２の上壁板２２ａと後壁板２２ｂとの境界線Ｂ７に沿って、ゴール用部品２２を折り曲げる（矢印Ａ７参照）。これにより、上壁板２２ａは、後壁板２２ｂに対して略垂直に配置される。次いで、図５に示すように、ゴール用部品２２の後壁板２２ｂの２個の挿入部２２ｅのそれぞれを、底壁板２４ａの２個のスリット２４ｅのそれぞれに挿入する（矢印Ｉ１，Ｉ２参照）。さらに、後壁板２２ｂの２個の挿入部２２ｄのそれぞれを、２個の側壁板２４ｂのそれぞれのスリット２４ｄに挿入する（矢印Ｉ３，Ｉ４参照）。この結果、後壁板２２ｂが、ゴール用部品２４から脱落することを抑制することができる。
【００４２】
さらに、上壁板２２ａの２個の挿入部２２ｃのそれぞれを、２個の側壁板２４ｂのそれぞれのスリット２４ｃに挿入する。この結果、上壁板２２ａが、側壁板２２ｂからすることを抑制することができる。これにより、サッカーゴールの形状を維持することができる。
【００４３】
次いで、キーパー用部品３２の操作板３２ａを、底壁板２４ａと後壁板２２ｂとの間に挿入する。なお、後壁板２２ｂの下端には、操作板３２ａを挿入するための凹状の切込みが設けられていてもよい。続いて、キーパー板３２ｂと操作板３２ａとの境界線を折り曲げて、キーパー板３２ｂを操作板３２ａに対して垂直に位置させて、図６に示すサッカーゴール６０が完成される。これにより、平板状のゴール用部品２２，２４と、キーパー用部品３２と、から、立体的なサッカーゴール６０を作製することができる。
【００４４】
（遊戯方法）
次いで、図７を参照して、遊戯方法を説明する。本実施例では、発射台５０とサッカーゴール６０とを用いたペナルティキックゲームを行うことができる。最初に、発射台５０とサッカーゴール６０とを、遊戯者によって決定された距離だけ離して配置する。次いで、発射台５０側の遊戯者は、発射台５０の載置板１４ｄ上に、発射すべき対象物Ｔを載置する。本実施例では、対象物Ｔは、ペットボトルのキャップである。なお、変形例では、対象物Ｔは、ペットボトルのキャップに限られず、ガラス瓶の蓋、消しゴム、小さいボール等であってもよい。
【００４５】
発射台５０側の遊戯者は、発射台５０を動かないように固定した状態（例えば底板１４ｆを指で押さえた状態）で、跳弾板１４ｂの上端を指で押圧して、跳弾板１４ｂを弾性的に撓ませる（図７の破線の跳弾板１４ｂ参照）。跳弾板１４ｂが撓むと、跳弾補助板１６，１８も追従して撓む。そして、発射台１００側の遊戯者が、跳弾板１４ｂの上端を押圧している指を、跳弾板１４ｂから離すと、跳弾板１４ｂ、跳弾補助板１６，１８が撓んだ状態から、撓んでいない状態に勢いよく戻る。このときに、載置板１４ｄ上の対象物Ｔは、跳弾板１４ｂに打ち出されて、ゴールに向かって飛んでいく（図７の破線の対象物Ｔ参照）。この構成によれば、跳弾板１４ｂ、跳弾補助板１６，１８の弾性力（即ち復元力）を利用して、対象物Ｔを、ゴールに向かって飛ばすことができる。跳弾板１４ｂの端部は、半円形状を有する。このため、遊戯者が、跳弾板１４ｂを操作する際の安全性を確保することができる。
【００４６】
なお、発射台５０側の遊戯者は、跳弾板１４の引掛部１４ｃを、跳弾板１４の平面から突出するように屈曲させてもよい。そして、突出された引掛部１４ｃに対象物を引掛けた状態で、跳弾板１４ｂを操作することによって、対象物Ｔを発射させてもよい。
【００４７】
サッカーゴール６０側の遊戯者は、ゴール裏に突出した操作板３２ａを操作することによって、飛んでいた対象物がゴールに入らないように、キーパー板３２ｂを移動させる。なお、遊戯用シート１０が半透明であるため、サッカーゴール６０側の遊戯者は、サッカーゴール６０越しに、対象物が飛んで来るのを確認することができる。
【００４８】
なお、例えば、サッカーゴール６０の上壁部分の一部を立ち上げて、表示板（例えば広告等を掲載する掲示板）を形成してもよい。
【００４９】
（第２実施例）
図８には、本実施例の遊戯用シート１１０が示されている。遊戯用シート１１０は、第１実施例の遊戯シート１０と同様の材料及び形状を有する。遊戯用シート１１０は、連結板１１２と、発射台用部品１１４と、跳弾補助板１１６，１１８と、ゴール用部品１２２，１２４，１２６と、を備える。各部１１２，１１４，１１６，１１８，１２２，１２４，１２６は、Ａ４サイズの１枚のシートを切り抜くことによって作製され、同一平板上に配置されている。
【００５０】
連結板１１２は、連結板１２と同様に、各部１１４，１１６，１１８，１２２，１２４，１２６を連結している。
【００５１】
発射台用部品１１４と連結板１１２との連結状態は、発射台用部品１４と連結板１２との連結状態と同様である。このため、発射台用部品１１４を、連結板１１２から容易に切り離すことができる。
【００５２】
発射台用部品１１４は、２個の支持板１１４ｅと、跳弾板１１４ｂと、底板１１４ｆと、を備える。底板１１４ｆは、２個の支持板１１４ｅの間に配置されている。底板１１４ｆは、矩形状に形成されている。
【００５３】
２個の支持板１１４ｅのそれぞれは、底板１１４ｆの２個の長辺側の端のそれぞれに、直接的に連結されている。各支持板１１４ｅには、被係合部１４ｇと同様の被係合部１１４ｇが形成されている。
【００５４】
底板１１４ｆの一方の短辺には、載置板１１４ｂが直接的に連結されている。載置板１１４ｂは、底板１１４ｆに連結される端辺から、矩形状に伸びている。載置板１１４ｂは、跳弾板１４ｂと同様の形状を有する。さらに、載置板１１４ｂの中間部分には、係合部１４ａと同様の係合部１１４ａが取り付けられている。載置板１１４ｂの半円形状の端部近傍には、引掛部１４ｃと同様の引掛部１１４ｃが配置されている。
【００５５】
発射台用部品１１４には、連結板１１２を介して、２枚の跳弾補助板１１６，１１８が連結されている。跳弾補助板１１６，１１８のそれぞれと連結板１１２との連結状態は、跳弾補助板１６，１８のそれぞれと連結板１２との連結状態と同様である。跳弾補助板１１６には、係合部１１４ａと同一形状の２個の係合部１１６ａが配置されている。跳弾補助板１１８には、係合部１１６ａと同様の２個の係合部１１８ａが配置されている。
【００５６】
ゴール用部品１２２，１２４，１２６は、それぞれ、連結板１１２を介して、発射台用部品１１４と連結されている。ゴール用部品１２２，１２４，１２６のそれぞれと連結板１１２との連結状態は、ゴール用部品２２，２４のそれぞれと連結板１２との連結状態と同様である。
【００５７】
ゴール用部品１２２は、バックボード１２２ａと、挿入部１２２ｂと、スリット１２２ｃと、を備える。バックボード１２２ａは、バスケットゴールのバックボードである。挿入部１２２ｂは、バックボード１２２ａの下端から下方に突出している。挿入部１２２ａは、後述するゴール用部品１２４のスリット１２４ｄに挿入される。スリット１２２ｃは、バスケットゴールのリング（即ちゴール用部品１２６）の上端を取り付ける位置に配置されている。スリット１２２ｃには、後述するゴール用部品１２６の挿入部１２６ｃが挿入される。
【００５８】
ゴール用部品１２４は、バックボード１２２ａを支持する支柱である。ゴール用部品１２４は、底板１２４ａと、支持板１２４ｂ，１２４ｆ，１２４ｆと、を備える。底板１２４ａは、略半円状を有する。底板１２４ａには、支持板１２４ｂが直接的に連結されている。支持板１２４ｂは、底板１２４ａの境界部分から、底板１２４ａから離間する方向に伸びている。支持板１２４ｂには、３個のスリット１２４ｃ，１２４ｄ，１２４ｅが間隔を開けて配置されている。スリット１２４ｃには、後述するゴール用部品１２６の挿入部１２６ｂが挿入される。スリット１２４ｄには、ゴール用部品１２２の挿入部１２２ｂが挿入される。スリット１２４ｅには、ゴール用部品１２６の挿入部１２６ｃが挿入される。
【００５９】
支持板１２４ｂの両側には、２個の支持板１２４ｆが直接的に連結されている。各支持板１２４ｆは、底板１２４ａの外周縁と切込みによって分離されている。
【００６０】
ゴール用部品１２６は、バスケットリング（即ちリム）及びネットである。ゴール用部品１２６は、本体１２６ａと、２個の挿入部１２６ｂ，１２６ｃを備える。本体１２６ａは、円筒形状を展開した形状を有する。本体１２６ａの長手方向の一端には、スリット１２６ｄが形成されている。本体１２６ａの長手方向の他端には、スリット１２６ｄに挿入される挿入部１２６ｅが配置されている。
【００６１】
挿入部１２６ｂは、本体１２６ａから円筒形状の軸方向に突出している。挿入部１２６ｂは、支持板１２４ｂのスリット１２４ｃに挿入される。挿入部１２６ｃは、本体１２６ａから円筒形状の軸方向であって、挿入部１２６ｂと反対方向に突出している。挿入部１２６ｃは、バックボード１２２ａのスリット１２２ｃと、支持板１２４ｂのスリット１２４ｅと、に挿入される。
【００６２】
（発射台の作製方法）
次に、図９を参照して、発射台１５０（図１１参照）の作製方法について説明する。最初に、作製者は、自らの手で、発射台部品１１４と、発射補助板１１６，１１８と、を連結板１１２から切り離す。次いで、発射台部品１１４の載置板１１４ｂ、跳弾補助板１１８、跳弾補助板１１６の順で、載置板１１４ｂ、跳弾発射補助板１１６，１１８を重ね合せる（矢印Ｌ１，Ｌ２参照）。このとき、係合部１１４ａ，１１６ａ，１１８ａがぴったりと重なるように、載置板１１４ｂ、跳弾補助板１１６，１１８を重ね合せる。そして、発射台部品１１４の載置板１１４ｂと底板１１４ｆとの境界線Ｂ１１、及び、２個の支持板１１４ｅのそれぞれと底板１１４ｆとの境界線Ｂ１２に沿って、発射台部品１１４を折り曲げる（矢印Ａ１１，Ａ１２参照）。そして、係合部１１４ａ，１１６ａ，１１８ａを、支持板１１４ｅの被係合部１１４ｇに挿入する。これにより、図１１に示す発射台１５０が完成する。
【００６３】
（バスケットゴールの作製方法）
次に、図１０を参照して、バスケットゴール１６０（図１１参照）の作製方法について説明する。最初に、作製者は、自らの手で、ゴール用部品１２２，１２４，１２６を、連結板１１２から切り離す。次いで、ゴール用部品１２４の支持板１２４ｂと底板１２４ａとの境界線Ｂ１３に沿って折り曲げる（矢印Ａ１３参照）。さらに、２個の支持板１２４ｆのそれぞれと支持板１２４ｂとの境界線Ｂ１４に沿って折り曲げる（矢印Ａ１４参照）。これにより、ゴール用部品１２４は、自立することができる。
【００６４】
次いで、ゴール用部品１２２の挿入部１２２ｂを、支持板１２４ｂのスリット１２４ｄに挿入する（矢印Ｉ１１参照）。次いで、ゴール用部品１２６の本体１２６ａを円筒形状に湾曲させ、挿入部１２６ｅをスリット１２６ｄに挿入する。これにより、ゴール用部品１２６が、円筒形状を維持することができる。
【００６５】
次いで、挿入部１２６ｂを支持板１２４ｂのスリット１２４ｃに挿入し（矢印Ｉ１２参照）、挿入部１２６ｃを、バックボード１２２ａのスリット１２２ｃと、支持板１２４ｂのスリット１２４ｅと、の両方に挿入する（矢印Ｉ１３，Ｉ１４参照）。これにより、図１１に示すバスケットゴール１６０が完成される。
【００６６】
（遊戯方法）
次いで、図１１を参照して、遊戯方法を説明する。本実施例では、発射台１５０とバスケットゴール１６０とを用いたフリースローゲームを行うことができる。最初に、発射台１５０とバスケットゴール１６０とを、遊戯者によって決定された距離だけ離して配置する。次いで、遊戯者は、発射台１５０の引掛部１１４ｃを、跳弾板１１４ｂの平面から突出するように屈曲させ、対象物Ｔを引掛部１１４ｃに引掛ける。そして、第１実施例と同様に、跳弾板１１４ｂを指で押圧してから離すことによって、対象物Ｔを、バスケットゴールに向けて飛ばして、対象物Ｔを、バックボード１２２ａに衝突させ、もしくは、衝突させずに、バスケットゴール１６０のリングに入れる。
【００６７】
（第３実施例）
図１２には、本実施例の遊戯用シート３１０が示されている。遊戯用シート３１０は、第１実施例と遊戯シート１０と同様の材料及び形状を有する。遊戯用シート３１０は、連結板３１２と、発射台用部品３１４と、的用部品３２２と、を備える。各部３１２，３１４，３２２は、Ａ４サイズの１枚のシートを切り抜くことによって作製され、同一平板上に配置されている。
【００６８】
連結板３１２は、連結板１２と同様に、各部３１４，３２２を連結している。
【００６９】
発射台用部品３１４と連結板３１２との連結状態は、発射台用部品１４と連結板１２との連結状態と同様である。発射台用部品３１４は、載置板３１４ｄと、２個の支持板３１４ｅと、底板３１４ｆと、を備える。発射台用部品３１４では、載置板３１４ｄ、１個の支持板３１４ｅ、底板３１４ｆ、１個の支持板３１４ｅの順に、一列に並んで連結されている。載置板３１４ｄの支持板３１４ｅと反対側の端（即ち、発射台用部品３１４の一端）には、挿入部３１４ａが配置されている。また、支持板３１４ｅの底板３１４ｆと反対側の端（即ち、発射台用部品３１４の他端）には、挿入部３１４ａが挿入されるスリット３１４ｂが形成されている。なお、載置板３１４ｄには、載置板３１４ｄの一部を立ち上げて対象物Ｔの位置決めをするための位置決め３１４ｇが形成されている。
【００７０】
的用部品３２２は、連結板３１２を介して、発射台用部品３１４と連結されている。的用部品３２２と連結板３１２との連結状態は、ゴール用部品２２と連結板１２との連結状態と同様である。
【００７１】
的用部品３２２は、主板３２２ａと、底板３２２ｂと、２個の支持板３２２ｃと、を備える。主板３２２ａは、矩形状を有する。主板３２２ａの中央部分には、１０個の的板３２２ｄが配置されている。各的板３２２ｄの外周縁と主板３２２ａとの間には、的板３２２ｄの外周縁に沿った切込みが設けられている。的板３２２ｄの外周縁に沿った切込みは、的板３２２ｄの外周縁の全周を亘って、断続的に形成されている。切込みが途切れている箇所では、的板３２２ｄと主板３２２ａとは、接続されている。
【００７２】
主板３２２ａの一端には、底板３２２ｂが連結されている。底板３２２ｂは、矩形状と、半円形状とが、組み合わされた形状を有する。底板３２２ｂの主板３２２ａと反対側の端辺の両端には、それぞれ支持板３２２ｃが連結されている。各支持板３２２ｃは、底板３２２ｂの端辺から底板３２２ｂに離間する方向に伸びている。
【００７３】
（発射台の作製方法）
次に、図１２，１３を参照して、発射台２５０の作製方法について説明する。最初に、作製者は、自らの手で、発射台部品３１４を連結板３１２から切り離す。次いで、載置板３１４ｄ、支持板３１４ｅ、底板３１４ｆ、支持板３１４ｅのそれぞれの境界を、垂直に折り曲げる。そして、挿入部３１４ａを、スリット３１４ｂに挿入して、発射台２５０が完成する。
【００７４】
（的の作製方法）
次に、的２６０の作製方法について説明する。最初に、作製者は、自らの手で、的用部品３２２を、連結板３１２から切り離す。次いで、主板３２２ａと底板３２２ｂとの境界を折り曲げる。さらに、底板３２２ｂと支持板３２２ｃとの境界を折り曲げる。そして、主板３２２ａの両端に形成されているスリット３２２ｅのそれぞれに、支持板３２２ｃのスリット３２２ｆを噛み合わせることによって、主板３２２ａと支持板３２２ｃとを固定する。また、作製者は、主板３２２ａと的板３２２ｄとを切り離して、元の位置に的板３２２ｄを嵌め込む。これにより、的２６０が完成される。
【００７５】
（遊戯方法）
次いで、図１３を参照して、遊戯方法を説明する。本実施例では、発射台２５０と的２６０とを用いた的当てゲームを行うことができる。最初に、発射台２５０と的２６０とを、遊戯者によって決定された距離だけ離して配置する。次いで、遊戯者は、対象物Ｔを発射台２５０の位置決め３１４ｇに当接させた状態で、載置板３１４ｄに載置する。次いで、対象物Ｔを、指ではじくことによって、対象物Ｔを的に向けて飛ばす。この結果、対象物が的板３２２ｄのいずれかに衝突すると、的板３２２ｄが主板３２２ａから落下する。この的当てゲームでは、例えば、対象物Ｔを的に向けて飛ばす試行を、１０回行って、落下させた的板３２２ｄの数を競う。
【００７６】
（第４実施例）
図１４，１５には、本実施例の遊戯用シート４１０，５１０が示されている。本実施例では、２枚の遊戯用シート４１０，５１０を利用して、遊具が作製される。遊戯用シート４１０，５１０は、第１実施例の遊戯シート１０と同様の材料及び形状を有する。なお、変形例では、遊戯用シート４１０，５１０が１枚の遊戯用シートであってもよい（例えばＡ３サイズの１枚の遊戯用シートであってもよい）。
【００７７】
遊戯用シート４１０は、連結板４１２と、発射台用部品４１４と、跳弾補助板４１６，４１８と、目標用部品４２４と、進塁用部品４３０と、を備える。各部４１２，４１４，４１６，４１８，４２４，４３０は、Ａ４サイズの１枚のシートを切り抜くことによって作製され、同一平板上に配置されている。
【００７８】
連結板４１２は、連結板１２と同様に、各部４１４，４１６，４１８，４２４，４３０を連結している。
【００７９】
発射台用部品４１４と連結板４１２との連結状態は、発射台用部品１４と連結板１２との連結状態と同様である。発射台用部品４１４は、第２実施例の発射台用部品１１４と同様の形状、構成を有する。即ち、発射台用部品４１４は、発射台用部品１１４の各板１１４ｅ，１１４ｂ，１１４ｆと同様の２個の支持板４１４ｅと、跳弾板４１４ｂと、底板４１４ｆと、を備える。また、発射台用部品４１４は、発射台用部品１１４の各部１１４ａ，１１４ｃ，１１４ｇと同様の係合部４１４ａ、引掛部４１４ｃ、被係合部４１４ｇを有する。
【００８０】
発射台用部品４１４には、連結４１２を介して、２枚の跳弾補助板４１６，４１８が連結されている。跳弾補助板４１６，４１８のそれぞれと連結板４１２との連結状態は、跳弾補助板１６，１８のそれぞれと連結板１２との連結状態と同様である。跳弾補助板４１６には、係合部４１４ａと同一形状の２個の係合部４１６ａが配置されている。跳弾補助板４１８には、係合部４１６ａと同様の２個の係合部４１８ａが配置されている。
【００８１】
目標用部品４２４は、連結板４１２を介して、発射台用部品４１４と連結されている。目標用部品４２４と連結板４１２との連結状態は、ゴール用部品２２と連結板１２との連結状態と同様である。
【００８２】
目標用部品４２４は、３個の被係合部４２４ａと、２個の挿入部４２４ｂと、的４２４ｃと、支持板４２４ｄと、を備える。支持板４２４ｄは、野球場のバックスクリーンを有する。支持板４２４ｄは、後述する目標用部品５２２のフィールド５２２ｆ（図１５参照）を、バックスクリーンに相当する位置において支持する。
【００８３】
３個の被係合部４２４ａは、支持板４２４ｄの中間位置において、等間隔に配置されている。被係合部４２４ａは、長方形状の外周に沿ったスリットによって形成されている。なお、長方形状の外周のうち、長辺の一辺（図１４の破線で示す辺）には、折り筋が形成されている。挿入部４２４ｂは、後述する目標用部品５３４，５３６のスリット５３４ｃ，５３６ｃのそれぞれに挿入される。挿入部４２４ｂは、支持板４２４ｄの両端のそれぞれに配置されている。挿入部４２４ｂは、支持板４２４ｄの両端のそれぞれから、支持板４２４ｄから離間する方向に突出している。的４２４ｃは、支持板４２４ｄの中央部に配置されている。的４２４ｃは、円形状に沿った切込みを有する。
【００８４】
進塁用部品４３０は、連結板４１２を介して、発射台用部品４１４と連結されている。進塁用部品４３０と連結板４１２との連結状態は、発射台用部品４１４と連結板４１２との連結状態と同様である。進塁用部品４３０は、矩形状を有している。進塁用部品４３０には、野球場のフィールド上に、ホーム、１〜３塁の各ベースが描かれている。
【００８５】
遊戯用シート５１０は、連結板５１２と、目標用部品５２２，５３４，５３６と、走者用部品５３１，５３３，５３５，５３７と、ルール用部品５４０と、を備える。各部５１２，５２２，５３１，５３３，５３４，５３５，５３６，５３７は、Ａ４サイズの１枚のシートを切り抜くことによって作製され、同一平板上に配置されている。
【００８６】
連結板４１２は、連結板１２と同様に、各部５２２，５３４，５３６を連結している。
【００８７】
目標用部品５２２と連結板５１２との連結状態は、ゴール用部品２２と連結板１２との連結状態と同様である。目標用部品５２２は、フィールド５２２ｆと、４個のスリット５２２ａ，５２２ｂ，５２２ｃ，５２２ｄと、３個の係合部５２２ｅと、を備える。フィールド５２２ｆは、野球のフィールドである。フィールド５２２ｆには、走者用部品５３１，５３３，５３５，５３７と、ルール用部品５４０と、が、切込みを介して連結されている。フィールド５２２ｆから、走者用部品５３１，５３３，５３５，５３７と、ルール用部品５４０と、を切り離すと、フィールド５２２ｆには、５個の孔が形成される。
【００８８】
走者用部品５３１，５３３，５３５，５３７は、円板形状を有する。走者用部品５３１，５３３，５３５，５３７は、遊戯中に、走者として利用される部品である。ルール用部品５４０は、楕円形状を有する。ルール用部品５４０には、遊戯のルールが記述されている。
【００８９】
目標用部品５２２には、連結板５１２を介して、２個の目標用部品５３４，５３６が連結されている。目標用部品５３４，５３６のそれぞれと連結板５１２との連結状態は、目標用部品５２２と連結板５１２との連結状態と同様である。目標用部品５３４は、支持板５３４ｄと、２個の挿入部５３４ａ，５３４ｂと、スリット５３４ｃと、を備える。支持板５３４ｄは、略直角三角形状を有する。支持板５３４ｄの斜辺の次に長い辺には、２個の挿入部５３４ａ，５３４ｂが配置されている。挿入部５３４ａ，５３４ｂは、間隔を開けて配置されている。挿入部５３４ａ，５３４ｂは、それぞれ、スリット５２２ａ，５２２ｂに挿入される。挿入部５３４ａ，５３４ｂは、支持板５３４ｄの斜辺の次に長い辺から、支持板５３４ｄに離間する方向に突出している。スリット５３４ｃは、目標用部品４２４の挿入部４２４ｂが挿入される。
【００９０】
目標用部品５３６は、支持板５３４ｄと挿入部５３４ａ，５３４ｂとスリット５３４ｃと同様の支持板５３６ｄと、挿入部５３６ａ，５３６ｂと、スリット５３６ｃと、を備える。
【００９１】
（発射台の作製方法）
図１８に示す発射台３５０は、第２実施例の発射台１５０と同様の作製方法で作製される。
【００９２】
（野球場の作製方法）
次に、図１６，１７を参照して、野球場３６０（図１８参照）の作製方法について説明する。なお、図１６〜１８では、フィールド５２２ｆ、支持板４２４ｄに記述されている文字列（例えば「Double」等）は、省略されている。最初に、作製者は、自らの手で、目標用部品４２４を連結板４１２から切り離すとともに、目標用部品５２２，５３４，５３６を、連結板５１２から切り離す。次いで、目標用部品５３４の挿入部５３４ａ，５３４ｂのそれぞれを、目標用部品５２２のスリット５２２ａ，５２２ｂに挿入する（矢印Ｉ２０参照）。同様に、目標用部品５３６の挿入部５３６ａ，５３６ｂのそれぞれを、目標用部品５２２のスリット５２２ｃ，５２２ｄに挿入する（矢印Ｉ２０参照）。
【００９３】
続いて、図１７に示すように、目標用部品５２２の係合部５２２ｅを、目標用部品４２４の被係合部４２４ａに挿入して、係合部５２２ｅを被係合部４２４ａに係合させる（矢印Ｉ２２参照）。これにより、目標用部品４２４と目標用部品５２２とが強固に連結される。さらに、目標用部品４２４の挿入部４２４ｂを、目標用部品５３４のスリット５３４ｃに挿入する（矢印Ｉ２４参照）とともに、目標用部品４２４の挿入部４２４ｂを、目標用部品５３６のスリット５３６ｃに挿入する（矢印Ｉ２４参照）。そして、的４２４ｃの円形状の切込みに沿って切り抜くことによって、孔状の的４２４ｃを形成する。これにより、図１８に示す野球場３６０が完成する。
【００９４】
なお、走者用部品５３１，５３３，５３５，５３７は、フィールド５２２ｆから切り離され、中間位置で折り曲げられて、走者５３１ａ等が作製される。ルール用部品５４０は、フィールド５２２ｆから切り離される。
【００９５】
（遊戯方法）
次いで、図１８を参照して、遊戯方法を説明する。本実施例では、発射台３５０（即ちバッター）と野球場３６０とを用いた野球ゲームを行うことができる。最初に、発射台３５０と野球場３６０とを、遊戯者によって決定された距離だけ離して配置する。次いで、遊戯者は、発射台３５０の引掛部４１４ｃを、跳弾板４１４ｂの平面から突出するように屈曲させ、対象物Ｔを引掛部４１４ｃに引掛ける。そして、第２実施例と同様に、跳弾板４１４ｂを指で押圧してから離すことによって、対象物Ｔを、野球場に向けて飛ばす。
【００９６】
フィールド５２２ｆには、走者用部品５３１，５３３，５３５，５３７及びルール用部品５４０が配置されていた位置に、複数個の孔５２２ｇが形成されている。発射台３５０に到達した対象物Ｔが、孔５２２ｇのいずれか入るか、あるいは、支持板４２４ｆの的４２４ｃに衝突する以外は、アウトがカウントされる。対象物Ｔが、孔５２２ｇのいずれか入った場合、入った孔５２２ｇに応じて、ヒット、２塁打、３塁打として、進塁用部品４３０上で、走者５３１ａ等を進塁させる。また、対象物Ｔが的４２４ｃに入った場合、ホームランとみなす。
【００９７】
本発明の代表的かつ非限定的な具体例について、図面を参照して詳細に説明した。この詳細な説明は、本発明の好ましい例を実施するための詳細を当業者に示すことを単純に意図しており、本発明の範囲を限定することを意図したものではない。また、開示された追加的な特徴ならびに発明は、さらに改善された装置を提供するために、他の特徴や発明とは別に、又は共に用いることができる。
【００９８】
また、上記の詳細な説明で開示された特徴や工程の組み合わせは、最も広い意味において本発明を実施する際に必須のものではなく、特に本発明の代表的な具体例を説明するためにのみ記載されるものである。さらに、上記の代表的な具体例の様々な特徴、ならびに、特許請求の範囲に記載されるものの様々な特徴は、本発明の追加的かつ有用な実施形態を提供するにあたって、ここに記載される具体例のとおりに、あるいは列挙された順番のとおりに組合せなければならないものではない。
【００９９】
本明細書及び／又は特許請求の範囲に記載された全ての特徴は、実施例及び／又は特許請求の範囲に記載された特徴の構成とは別に、出願当初の開示ならびに特許請求の範囲に記載された特定事項に対する限定として、個別に、かつ互いに独立して開示されることを意図するものである。さらに、全ての数値範囲及びグループ又は集団に関する記載は、出願当初の開示ならびに特許請求の範囲に記載された特定事項に対する限定として、それらの中間の構成を開示する意図を持ってなされている。
【０１００】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【０１０１】
上記の各実施例では、遊戯用シート１０，１１０，３１０は、Ａ４サイズである。しかしながら、遊戯シート１０のサイズは、Ａ４に限らず、Ａ３、レターサイズ、はがきサイズ等の標準規格のサイズであってもよいし、標準規格以外のサイズであってもよい。
【０１０２】
上記の各実施例では、遊戯用シート１０，１１０，３１０は、ポリプロピレン製である。しかしながら、遊戯用シート１０の材質は、ポリプロピレンに限られず、紙、金属製であってもよい。
【０１０３】
また、上記の第１実施例では、遊戯用シート１０は、連結板１２を備える。しかしながら、遊戯用シート１０は、連結板１２を備えていなくてもよい。この場合、例えば、連結板１２と、発射台用部品１４と、跳弾補助板１６，１８と、ゴール用部品２２，２４と、ゴールキーパー用部品３２と、は、連結板１２を介さずに、直接的に連結されていてもよい。遊戯用シート１１０，３１０でも同様である。
【０１０４】
また、上記の第１実施例では、発射台５０とサッカーゴール６０とは、分離した状態で遊戯される。しかしながら、例えば、遊戯用シート１０は、発射台５０とサッカーゴール６０とを一体的に結合する結合板を、さらに備えていてもよい。本変形例で示されるように、発射台用部品１４とゴール用部品２２，２４とが、互いの外周縁における連結から一旦分離され、発射台５０、サッカーゴール６０が作製された状態で連結される状態も、発射台用部品１４とゴール用部品２２，２４とが、互いの外周縁同士で連結されておらず、「発射台用部品の外周縁と目標用部品の外周縁とが分離され、発射台が作製された状態」及び、「発射台用部品の外周縁と目標用部品の外周縁とが分離され、目標が作製された状態」と言うことができる。
【０１０５】
また、第２実施例の発射台用部品１１４では、載置板１１４ｂに係合部１１４ａが配置されており、支持板１１４ｅに被係合部１１４ｇが配置されている。しかしながら、載置板１１４ｂに被係合部（例えば載置板１１４ｂを貫通する孔）が配置されており、支持板１１４ｅに係合部（載置板１１４ｂの被係合部に係合する突起）が配置されていてもよい。同様に、係合部が配置される板と非係合部が配置される板とは、実施例に記載された板と反対であってもよい。
【０１０６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【要約】
遊戯用シートは、対象物を発射する発射台を作製するための平板状の発射台用部品と、発射台用部品と同一の平板内に配置されており、発射台から発射される対象物の目標を作製するための平板状の目標用部品と、を備える。【図１】
0005828970.tif 000002
【図２】
0005828970.tif 000003
【図３】
0005828970.tif 000004
【図４】
0005828970.tif 000005
【図５】
0005828970.tif 000006
【図６】
0005828970.tif 000007
【図７】
0005828970.tif 000008
【図８】
0005828970.tif 000009
【図９】
0005828970.tif 000010
【図１０】
0005828970.tif 000011
【図１１】
0005828970.tif 000012
【図１２】
0005828970.tif 000013
【図１３】
0005828970.tif 000014
【図１４】
0005828970.tif 000015
【図１５】
0005828970.tif 000016
【図１６】
0005828970.tif 000017
【図１７】
0005828970.tif 000018
【図１８】
0005828970.tif 000019